(57)【要約】【課題】  輝度信号色信号分離装置において、連続して斜め方向に相関のある輝度信号が入力された場合、輝度信号成分が色信号成分に漏れ込むことによるクロスカラーの発生及び斜め方向の解像度が劣化するという課題を有していた。【解決手段】  入力されたコンポジット映像信号から斜め成分を検出する斜め成分検出回路と前記色分離回路の出力信号を半周期時間だけ信号を遅延させる遅延回路と、遅延回路の中央点の出力信号を基準に交互に反転させる反転回路と、前記遅延回路の出力信号及び反転回路の出力信号から各々相異なる出力信号を比較し最小値を選択する最小値回路と、最小値回路の出力信号から最大値を選択する最大値回路とを具備し、色信号の水平相関検出値を切換えることにより、クロスカラーの低減および解像度の改善を行なう。【選択図】  図２
2005348223.tif 000002
【特許請求の範囲】
【請求項１】
コンポジット映像信号の斜め方向における相関（斜め相関）を検出する斜め相関検出部と、
前記コンポジット映像信号の垂直方向における相関に基づいて前記コンポジット映像信号から第１の色信号を抽出するライン相関色分離部と、
前記第１の色信号の水平方向における自己相関に基づいて第２の色信号を得る第１の色信号取得部とを備え、
前記第１の色信号取得部は、
前記斜め相関検出部によって検出された斜め相関の程度に応じて前記第２の色信号の大きさを制御する、
ことを特徴とする映像信号処理装置。
【請求項２】
請求項１において、
前記第１の色信号取得部は、
前記第１の色信号の水平方向における自己相関に基づいて第３の色信号を得る第１の色信号抽出部と、
前記第１の色信号の水平方向における自己相関に基づいて第４の色信号を得る第２の色信号抽出部と、
前記斜め相関検出部によって検出された斜め相関の程度に応じて前記第３の色信号または前記第４の色信号を前記第２の色信号とする第１の色信号選択部とを含み、
前記第３の色信号は前記第４の色信号以上の値である、
ことを特徴とする映像信号処理装置。
【請求項３】
請求項１において、
前記コンポジット映像信号と前記第２の色信号との差に基づいて前記コンポジット映像信号から輝度信号を抽出する減算部をさらに備える、
ことを特徴とする映像信号処理装置。
【請求項４】
請求項３において、
前記第１の色信号の水平方向における自己相関に基づいて第３の色信号を得る第２の色信号取得部をさらに備え、
前記第２の色信号取得部は、
前記斜め相関検出部によって検出された斜め相関の程度に応じた範囲でありかつ前記第１の色信号取得部による検出範囲以上の広い範囲で前記自己相関を検出する、
ことを特徴とする映像信号処理装置。
【請求項５】
請求項４において、
前記第１の色信号取得部は、
前記第１の色信号の水平方向における自己相関に基づいて第１の順位の第４の色信号を得る第１の色信号抽出部と、
前記第１の色信号の水平方向における自己相関に基づいて第２の順位の第５の色信号を得る第２の色信号抽出部と、
前記斜め相関検出部によって検出された斜め相関の程度に応じて前記第４の色信号または前記第５の色信号を前記第２の色信号とする第１の色信号選択部とを含み、
前記第４の色信号は前記第５の色信号以上の値であり、
前記第２の色信号取得部は、
前記第１の色信号の水平方向における自己相関に基づいて第３の順位の第６の色信号を得る第３の色信号抽出部と、
前記第１の色信号の水平方向における自己相関に基づいて第４の順位の第７の色信号を得る第４の色信号抽出部と、
前記斜め相関検出部によって検出された斜め相関の程度に応じて前記第６の色信号または前記第７の色信号を前記第３の色信号とする第２の色信号選択部とを含み、
前記第６の色信号は前記第７の色信号以上の値である、
ことを特徴とする映像信号処理装置。
【請求項６】
請求項５において、
前記第１の順位と前記第３の順位は自己相関内の中間値をとる順位であり、前記第２の順位と前記第４の順位は自己相関内の最小値をとる順位である、
ことを特徴とする映像信号処理装置。
【請求項７】
請求項４において、
前記第１の色信号取得部は、
前記第１の色信号の水平方向における自己相関に基づいて第１の順位の第４の色信号を得る第１の色信号抽出部と、
前記第１の色信号の水平方向における自己相関に基づいて第２の順位の第５の色信号を得る第２の色信号抽出部と、
前記斜め相関検出部によって検出された斜め相関の程度に応じて前記第４の色信号または前記第５の色信号を前記第２の色信号とする第１の色信号選択部とを含み、
前記第４の色信号は前記第５の色信号以上の値であり、
前記第２の色信号取得部は、
前記第１の色信号の水平方向における自己相関に基づいて第３の順位の第６の色信号を得る第３の色信号抽出部と、
前記斜め相関検出部によって検出された斜め相関の程度に応じて前記第５の色信号または前記第６の色信号を前記第３の色信号とする第２の色信号選択部とを含み、
前記第６の色信号は前記第５の色信号以上の値である、
ことを特徴とする映像信号処理装置。
【請求項８】
請求項７において、
前記第１の順位と前記第３の順位は自己相関内の中間値をとる順位であり、前記第２の順位は自己相関内の最小値をとる順位である、
ことを特徴とする映像信号処理装置。
【請求項９】
請求項４において、
前記第２の色信号取得部は、
前記第１の色信号の水平方向における自己相関に基づいて第１の順位の第４の色信号を得る第１の色信号抽出部と、
前記第１の色信号の水平方向における自己相関に基づいて第２の順位の第５の色信号を得る第２の色信号抽出部と、
前記斜め相関検出部によって検出された斜め相関の程度に応じて前記第４の色信号または前記第５の色信号を前記第３の色信号とする第１の色信号選択部とを含み、
前記第４の色信号は前記第５の色信号以上の値であり、
前記第１の色信号取得部は、
前記第１の色信号の水平方向における自己相関に基づいて第３の順位の第６の色信号を得る第３の色信号抽出部と、
前記斜め相関検出部によって検出された斜め相関の程度に応じて前記第６の色信号または前記第５の色信号を前記第２の色信号とする第２の色信号選択部とを含み、
前記第６の色信号は前記第５の色信号以上の値である、
ことを特徴とする映像信号処理装置。
【請求項１０】
請求項９において、
前記第１の順位と前記第３の順位は自己相関内の中間値をとる順位であり、前記第２の順位は自己相関内の最小値をとる順位である、
ことを特徴とする映像信号処理装置。
【請求項１１】
請求項１において、
前記第１の色信号取得部は、
前記第１の色信号を初段の入力に受ける複数段の遅延回路と、
前記第１の色信号と前記複数段の遅延回路の各段の出力とのうちの大きさを検出し、前記斜め相関検出部によって検出された斜め相関の程度に応じて、検出した大きさの中から選択した第１の選択順位値を前記第２の色信号として出力する検出部とを含み、
前記複数段の遅延回路の各段では、
前記第１の色信号の半周期時間だけ入力信号を遅延させて出力する、
ことを特徴とする映像信号処理装置。
【請求項１２】
請求項１において、
前記第１の色信号取得部は、
前記第１の色信号を初段の入力に受ける複数段の遅延回路と、
前記第１の色信号と前記複数段の遅延回路の各段の出力とのうちの選択順位値（第１の選択順位値）を検出する第１の検出部と、
前記第１の色信号と前記複数段の遅延回路の各段の出力とのうち、前記第１の選択順位値以下の値となる選択順位値（第２の選択順位値）を検出する第２の検出部と、
前記斜め相関検出部によって検出された斜め相関の程度に応じて前記第１の選択順位値または前記第２の選択順位値を前記第２の色信号として出力する選択部とを含み、
前記複数段の遅延回路の各段では、
前記第１の色信号の半周期時間だけ入力信号を遅延させて出力する、
ことを特徴とする映像信号処理装置。
【請求項１３】
請求項１２において、
前記第１の選択順位は自己相関内の中間値をとる順位であり、前記第２の選択順位は自己相関内の最小値をとる順位である、
ことを特徴とする映像信号処理装置。
【請求項１４】
請求項４において、
前記第２の色信号取得部は、
前記第１の色信号を初段の入力に受ける複数段の遅延回路と、
前記第１の色信号と前記複数段の遅延回路の各段の出力とのうちの大きさを検出し、前記斜め相関検出部によって検出された斜め相関の程度に応じて、検出した大きさの中から選択した第１の選択順位値を検出し、検出した第１の選択順位値を前記第３の色信号として出力する中間値検出部とを含み、
前記複数段の遅延回路の各段では、
前記第１の色信号の半周期時間だけ入力信号を遅延させて出力する、
ことを特徴とする映像信号処理装置。
【請求項１５】
請求項４において、
前記第２の色信号取得部は、
前記第１の色信号を初段の入力に受ける複数段の遅延回路と、
前記第１の色信号と前記複数段の遅延回路の各段の出力とのうちの選択順位値（第１の選択順位値）を検出する第１の検出部と、
前記第１の色信号と前記複数段の遅延回路の各段の出力とのうち、前記第１の選択順位値以下の値となる選択順位値（第２の選択順位値）を検出する第２の検出部と、
前記斜め相関検出部によって検出された斜め相関の程度に応じて前記第１の選択順位値または前記第２の選択順位値を前記第３の色信号として出力する選択部とを含み、
前記複数段の遅延回路の各段では、
前記第１の色信号の半周期時間だけ入力信号を遅延させて出力する、
ことを特徴とする映像信号処理装置。
【請求項１６】
請求項１５において、
前記第１の選択順位は自己相関内の中間値をとる順位であり、前記第２の選択順位は自己相関内の最小値をとる順位である、
ことを特徴とする映像信号処理装置。
【請求項１７】
コンポジット映像信号の斜め方向における相関（斜め相関）を検出するステップ（ａ）と、
前記コンポジット映像信号の垂直方向における相関に基づいて前記コンポジット映像信号から第１の色信号を抽出するステップ（ｂ）と、
前記第１の色信号の水平方向における自己相関に基づいて第２の色信号を得るステップ（ｃ）とを備え、
前記ステップ（ｃ）では、
前記ステップ（ａ）によって検出された斜め相関の程度に応じて、前記第２の色信号値を制御する、
ことを特徴とする映像信号処理方法。
【請求項１８】
請求項１７において、
前記ステップ（ｃ）は、
前記第１の色信号の水平方向における自己相関に基づいて第３の色信号を得るステップ（ｄ）と、
前記第１の色信号の水平方向における自己相関に基づいて第４の色信号を得るステップ（ｅ）と、
前記ステップ（ａ）によって検出された斜め相関の程度に応じて前記第３の色信号または前記第４の色信号を前記第２の色信号とするステップ（ｆ）とを含み、
前記第３の色信号は前記第４の色信号以上の値である、
ことを特徴とする映像信号処理方法。
【請求項１９】
請求項１７において、
前記コンポジット映像信号と前記第２の色信号との差に基づいて前記コンポジット映像信号から輝度信号を抽出するステップ（ｇ）をさらに備える、
ことを特徴とする映像信号処理方法。
【請求項２０】
請求項１９において、
前記第１の色信号の水平方向における自己相関に基づいて第３の色信号を得るステップ（ｈ）をさらに備え、
前記ステップ（ｈ）では、
前記ステップ（ａ）によって検出された斜め相関の程度に応じた範囲でありかつ前記ステップ（ｃ）による検出範囲以上の広い範囲で前記自己相関を検出する、
ことを特徴とする映像信号処理方法。
【請求項２１】
請求項２０において、
前記ステップ（ｃ）は、
前記第１の色信号の水平方向における自己相関に基づいて第１の順位の第４の色信号を得るステップ（ｉ）と、
前記第１の色信号の水平方向における自己相関に基づいて第２の順位の第５の色信号を得るステップ（ｊ）と、
前記ステップ（ａ）によって検出された斜め相関の程度に応じて前記第４の色信号または前記第５の色信号を前記第２の色信号とするステップ（ｋ）とを含み、
前記第４の色信号の値は前記第５の色信号以上の値であり、
前記ステップ（ｈ）は、
前記第１の色信号の水平方向における自己相関に基づいて第３の順位の第６の色信号を得るステップ（ｌ）と、
前記第１の色信号の水平方向における自己相関に基づいて第４の順位の第７の色信号を得るステップ（ｍ）と、
前記ステップ（ａ）によって検出された斜め相関の程度に応じて前記第６の色信号または前記第７の色信号を前記第３の色信号とするステップ（ｎ）とを含み、
前記第６の色信号の値は前記第７の色信号以上の値である、
ことを特徴とする映像信号処理方法。
【請求項２２】
請求項２１において、
前記第１の順位と前記第３の順位は自己相関内の中間値をとる順位であり、前記第２の順位と前記第４の順位は自己相関内の最小値をとる順位である、
ことを特徴とする映像信号処理方法。
【請求項２３】
請求項２０において、
前記ステップ（ｃ）は、
前記第１の色信号の水平方向における自己相関に基づいて第１の順位の第４の色信号を得るステップ（ｉ）と、
前記第１の色信号の水平方向における自己相関に基づいて第２の順位の第５の色信号を得るステップ（ｊ）と、
前記ステップ（ａ）によって検出された斜め相関の程度に応じて前記第４の色信号または前記第５の色信号を前記第２の色信号とするステップ（ｋ）とを含み、
前記第４の色信号の値は前記第５の色信号以上の値であり、
前記ステップ（ｈ）は、
前記第１の色信号の水平方向における自己相関に基づいて第３の順位の第６の色信号を得るステップ（ｌ）と、
前記ステップ（ａ）によって検出された斜め相関の程度に応じて前記第５の色信号または前記第６の色信号を前記第３の色信号とするステップ（ｎ）とを含み、
前記第６の色信号の値は前記第５の色信号以上の値である、
ことを特徴とする映像信号処理方法。
【請求項２４】
請求項２３において、
前記第１の順位と前記第３の順位は自己相関内の中間値をとる順位であり、前記第２の順位は自己相関内の最小値をとる順位である、
ことを特徴とする映像信号処理方法。
【請求項２５】
請求項２０において、
前記ステップ（ｈ）は、
前記第１の色信号の水平方向における自己相関に基づいて第１の順位の第４の色信号を得るステップ（ｌ）と、
前記第１の色信号の水平方向における自己相関に基づいて第２の順位の第５の色信号を得るステップ（ｍ）と、
前記ステップ（ａ）によって検出された斜め相関の程度に応じて前記第４の色信号または前記第５の色信号を前記第３の色信号とするステップ（ｎ）とを含み、
前記第４の色信号の値は前記第５の色信号以上の値とし、
前記ステップ（ｃ）は、
前記第１の色信号の水平方向における自己相関に基づいて第３の順位の第６の色信号を得るステップ（ｉ）と、
前記ステップ（ａ）によって検出された斜め相関の程度に応じて前記第６の色信号または前記第５の色信号を前記第２の色信号とするステップ（ｋ）とを含み、
前記第６の色信号の値は前記第５の色信号以上の値である、
ことを特徴とする映像信号処理方法。
【請求項２６】
請求項２５において、
前記第１の順位と前記第３の順位は自己相関内の中間値をとる順位であり、前記第２の順位は自己相関内の最小値をとる順位である、
ことを特徴とする映像信号処理方法。
【発明の詳細な説明】
【技術分野】
【０００１】
この発明は、コンポジット映像信号から輝度信号（Ｙ）および／または色信号（Ｃ）を分離する装置および方法に関する。
【背景技術】
【０００２】
近年、テレビジョン受像機の大型化・高画質化に伴い、コンポジット映像信号から輝度信号と色信号とを分離するＹ／Ｃ分離装置（輝度信号／色信号分離装置）の高性能化が重要視されてきている。
【０００３】
以下、従来のＹ／Ｃ分離装置について説明する。
【０００４】
図１０は、特開平５−１１１０５１号公報に開示されたＹ／Ｃ分離装置の構成を示すブロック図である。図１０において、入力端３１は、ライン間くし型フィルタより出力される帯域制限された色信号の入力部である。入力端３１には遅延回路３２〜３５が直列に接続される。遅延回路３２〜３５は、色信号の半周期だけ入力信号を遅延させて出力する。遅延回路３２，３４には反転回路３６，３７が接続される。次に各遅延信号を入力する最小値回路３８〜４５が設けられている。最小値回路３８〜４２は３つの入力端子を有し、これら３つの入力端子に入力される信号のうち最小の信号を選択して出力する。最小値回路４３〜４５は２つの入力端子を有し、これら２つの入力端子に入力される信号のうち最小の信号を選択して出力する。最小値回路３８の３つの入力端子には反転回路３７，遅延回路３５，入力端３１からの信号が与えられる。最小値回路３９の３つの入力端子には遅延回路３５，入力端３１，反転回路３６からの信号が与えられる。最小値回路４０の３つの入力端子には入力端３１，反転回路３６，遅延回路３３からの信号が与えられる。最小値回路４１の３つの入力端子には反転回路３６および３７，遅延回路３３からの信号が与えられる。最小値回路４２の３つの入力端子には遅延回路３３および３５，反転回路３７からの信号が与えられる。最小値回路４３の２つの入力端子には反転回路３７，遅延回路３３からの信号が与えられる。最小値回路４４の２つの入力端子には反転回路３６，遅延回路３３からの信号が与えられる。最小値回路４５の２つの入力には反転回路３６，３７からの信号が与えられる。最小値回路３８〜４２の出力信号は最大値回路４６に与えられる。最大値回路４６は５つの入力信号のうち最大の振幅を有する信号を選択し、出力端４７を介してこれを色信号として出力する。最小値回路４３〜４５の出力信号は最大値回路４９に与えられる。最大値回路４９は３つの入力信号のうち最大の振幅を有する信号を選択し、その値を減算器５０に与える。減算器５０は入力端５１に入力される複合映像信号から最大値回路４９の出力信号を減算して出力端５２より輝度信号として出力する。
【０００５】
次に、以上のように構成されたＹ／Ｃ分離装置の動作について説明する。
【０００６】
図６は、入力端３１に１波長の色信号が入力された場合の最大値回路４９の出力波形を表している。図８は、入力端３１に１．５波長の色信号が入力された場合の最大値回路４６の出力波形を表している。ここで、特開平５−１１１０５１号公報に記載と同符合とすることで処理途中の動作の説明を省略する。図１０において最大値回路４９側は、１波長以上の信号が入力された場合、入力された信号が色信号であると見なすため、最大値回路４９の出力からは入力された１波長の信号がそのまま出力される。図１０において最大値回路４６側は、１．５波長以上の信号が入力された場合、入力された信号が色信号であると見なすため、最大値回路４６の出力からは入力された１．５波長の信号がそのまま出力される。
【特許文献１】特開平５−１１１０５１号公報（第４−５頁、第１図、第２−３頁、第６図、第１１図）
【発明の開示】
【発明が解決しようとする課題】
【０００７】
上述のＹ／Ｃ分離装置では、１．５周期以上の信号が入力されると色信号が入力されているとみなす。このため、１波長以下の細い斜め線が入力されているような場合の信号は除去できるが、斜め線が連続して入力されているような場合の信号は除去できず、クロスカラーを抑圧する効果が少ない。
【０００８】
この発明の目的は、細い斜め線だけでなく、連続して斜め方向に相関のある輝度信号が入力された場合においても、輝度信号成分が色信号成分に漏れ込むことによるクロスカラーを低減でき、斜め方向の解像度を改善できる映像信号処理装置および方法を提供することである。
【課題を解決するための手段】
【０００９】
この発明による映像信号処理装置は、斜め相関検出部と、ライン相関色分離部と、第１の色信号取得部とを備える。斜め相関検出部は、コンポジット映像信号の斜め方向における相関（斜め相関）を検出する。ライン相関色分離回路は、コンポジット映像信号の垂直方向における相関に基づいてコンポジット映像信号から第１の色信号を抽出する。第１の色信号取得部は、第１の色信号の水平方向における自己相関に基づいて第２の色信号を得る。第１の色信号取得部は、水平相関範囲内の中間値と水平相関値内の中間値より小さい値を検出し、斜め相関検出部によって検出された斜め相関の程度に応じて水平相関範囲内の中間値と水平相関値内の中間値より小さい値とを切換える。
【００１０】
好ましくは、上記映像信号処理装置は減算部をさらに備える。減算部は、コンポジット映像信号と第２の色信号との差に基づいてコンポジット映像信号から輝度信号を抽出する。
【００１１】
好ましくは、上記第１の色信号取得部は、水平相関範囲内の中間値と水平相関値内の最小値を検出し、斜め相関検出部によって検出された斜め相関の程度に応じて水平相関範囲内の中間値と水平相関値内の最小値とを切換える。
【００１２】
この発明による映像信号処理方法はステップ（ａ）〜（ｃ）を備える。ステップ（ａ）では、コンポジット映像信号の斜め方向における相関（斜め相関）を検出する。ステップ（ｂ）では、コンポジット映像信号の垂直方向における相関に基づいてコンポジット映像信号から第１の色信号を抽出する。ステップ（ｃ）では、第１の色信号の水平方向における相関範囲内の中間値と中間値より小さい値の第２の色信号を得る。ステップ（ｃ）では、ステップ（ａ）によって検出された斜め相関の程度に応じて、第１の色信号の水平方向における相関範囲内の中間値と中間値より小さい値とを切換える。
【００１３】
好ましくは、上記映像信号処理方法はステップ（ｄ）をさらに備える。ステップ（ｄ）では、コンポジット映像信号と第２の色信号との差に基づいてコンポジット映像信号から輝度信号を抽出する。
【００１４】
好ましくは、上記ステップ（ｃ）は第１の色信号の水平方向における相関範囲内の中間値と最小値の第２の色信号を得る。ステップ（ｃ）では、ステップ（ａ）によって検出された斜め相関の程度に応じて、第１の色信号の水平方向における相関範囲内の中間値と中間値より小さい値とを切換える。
【発明の効果】
【００１５】
本発明によれば、入力されたコンポジット映像信号の３ライン間の映像信号より輝度信号成分の斜め方向の相関を検出し、この検出結果に応じて水平方向の相関検出範囲を切り換えることにより、斜め線のような斜め方向の輝度信号成分がライン相関色分離回路に入力され、ライン相関色分離回路において正しく分離されず、ライン相関出力色信号に漏れ出したとしても、斜め線が入力された場合は水平方向の相関範囲内の中間値を中間値より小さくすることにより、出力される色信号においてはクロスカラーを低減するとともに、出力される輝度信号においても斜め方向の解像度の改善を図ることができる。
【００１６】
また、斜め線が入力されていない場合は、水平方向の相関範囲内の中間値を取ることにより、通常の色信号が正しく出力され、水平方向の相関範囲内の最小値を常に選択したために起こる色抜けや、色の飽和度低下を抑制することができる。
【発明を実施するための最良の形態】
【００１７】
＜テレビジョン受像機の全体構成＞
図１は、この発明の実施形態によるテレビジョン受像機の全体構成を示すブロック図である。このテレビジョン受信機１０は、地上波チューナ１と、ＡＶスイッチ２と、Ｙ／Ｃ分離装置３と、色復調回路４と、ＲＧＢ変換回路５と、モニター画面６と、オーディオ処理回路７と、音声出力回路８と、スピーカ９とを含む。
【００１８】
地上波チューナ１は、チャンネル毎に割り当てられた放送を受信する。ＡＶスイッチ２は、チューナ１で受信した地上波放送信号Ｓ１０とビデオカセットレコーダーなどの外部機器から入力された映像信号，音声信号とを切り換える。Ｙ／Ｃ分離装置３は、ＡＶスイッチ２より出力されたコンポジット映像信号Ｓ１００を輝度信号Ｓ１２０と色信号Ｓ１９９とに分離する。色復調回路４は、Ｙ／Ｃ分離装置３より出力された色信号Ｓ１１９を色差信号であるＵ信号Ｓ４０ＵおよびＶ信号Ｓ４０Ｖに復調する。ＲＧＢ変換回路５は、Ｙ／Ｃ分離装置３より出力された輝度信号Ｓ１２０と色復調回路４より出力されたＵ信号Ｓ４０ＵおよびＶ信号Ｓ４０ＶをＲ信号Ｓ５０Ｒ，Ｇ信号Ｓ５０Ｇ，およびＢ信号Ｓ５０Ｂに変換する。モニター画面６は、ＲＧＢ変換回路５より出力されたＲ信号Ｓ５０Ｒ，Ｇ信号Ｓ５０Ｇ，およびＢ信号Ｓ５０Ｂより映像を表示する。オーディオ処理回路７は、ＡＶスイッチ２より出力された音声信号Ｓ１００Ａを処理する。音声出力回路８は、オーディオ処理回路７より出力された音声信号Ｓ７０を増幅してスピーカ９に出力する。スピーカ９は、音声出力回路８より出力された音声信号Ｓ８０を出力する。
【００１９】
＜Ｙ／Ｃ分離装置３の内部構成＞
図２は、図１に示したＹ／Ｃ分離装置３の内部構成を示すブロック図である。このＹ／Ｃ分離装置３は、ラインメモリ１０１，１０２と、ライン相関色分離回路１０３と、斜め相関検出回路１０４と、遅延回路１０５〜１０９と、反転回路１１２，１１３と、第１の水平３点相関回路１１５と、第２の水平３点相関回路１１６と、第１の水平５点相関回路１１７と、第２の水平５点相関回路１１１と、切換回路１１８，１１９と、減算器１２０とを備える。
【００２０】
ラインメモリ１０１は、ＡＶスイッチ２（図１参照）より出力されたコンポジット映像信号Ｓ１００を１水平期間（１ライン）遅延させて出力する。ラインメモリ１０２は、ラインメモリ１０１からの映像信号Ｓ１０１を１水平期間（１ライン）遅延させて出力する。
【００２１】
ライン相関色分離回路１０３は、コンポジット映像信号Ｓ１００とラインメモリ１０１からの映像信号Ｓ１０１とラインメモリ１０２からの映像信号Ｓ１０２との間での相関（３ライン間の相関）に基づいてコンポジット映像信号から色信号Ｓ１０３を抽出する。
【００２２】
斜め相関検出回路１０４は、コンポジット映像信号の輝度信号成分の斜め方向における相関（斜め成分）を検出する。
【００２３】
遅延回路１０５〜１０９は、色信号の半周期だけ入力信号を遅延させて出力する。遅延回路１０５は、ライン相関色分離回路１０３からの色信号Ｓ１０３を遅延させて出力する。遅延回路１０６〜１０９は、前段の遅延回路１０５〜１０８の出力信号Ｓ１０５〜Ｓ１０８を遅延させて出力する。
【００２４】
反転回路１１２，１１３は、遅延回路１０６，１０８の出力信号Ｓ１０６，Ｓ１０８を反転させて出力する。
【００２５】
第１の水平３点相関回路１１５は、色信号を半周期づつ遅延させた３点の信号Ｓ１１２，Ｓ１０７，Ｓ１１３に基づいて色信号Ｓ１０３の相関を検出する。第１の水平３点相関回路１１５は、信号Ｓ１１２，Ｓ１０７，Ｓ１１３の中間のレベルを示す信号Ｓ１１５を出力する。
【００２６】
第２の水平３点相関回路１１６は、色信号を半周期づつ遅延させた３点の信号Ｓ１１２，Ｓ１０７，Ｓ１１３に基づいて色信号Ｓ１０３の相関を検出する。第２の水平３点相関回路１１６は、信号Ｓ１１２，Ｓ１０７，Ｓ１１３の最小のレベル、もしくは第１の水平３点相関回路１１５において検出したレベルより小さいレベルを示す信号Ｓ１１６を出力する。
【００２７】
第１の水平５点相関回路１１７は、色信号を半周期づつ遅延させた５点の信号Ｓ１０５，Ｓ１１２，Ｓ１０７，Ｓ１１３，Ｓ１０９に基づいて色信号Ｓ１０３の相関を検出する。第１の水平５点相関回路１１７は、信号Ｓ１０５，Ｓ１１２，Ｓ１０７，Ｓ１１３，Ｓ１０９の中間のレベルを示す信号Ｓ１１７を出力する。
【００２８】
第２の水平５点相関回路１１１は、色信号を半周期づつ遅延させた５点の信号Ｓ１０５，Ｓ１１２，Ｓ１０７，Ｓ１１３，Ｓ１０９に基づいて色信号Ｓ１０３の相関を検出する。第２の水平５点相関回路１１１は、信号Ｓ１０５，Ｓ１１２，Ｓ１０７，Ｓ１１３，Ｓ１０９の最小のレベル、もしくは第１の水平５点相関回路１１７において検出したレベルより小さいレベルを示す信号Ｓ１１１を出力する。
【００２９】
切換回路１１８は、第１の水平３点相関回路１１５の出力信号Ｓ１１５と第２の水平３点相関回路１１６の出力信号Ｓ１１６とを斜め相関検出回路１０４の検出結果Ｓ１０４に応じて切換えを行なう。
【００３０】
切換回路１１９は、第１の水平５点相関回路１１７の出力信号Ｓ１１７と第２の水平５点相関回路１１１の出力信号Ｓ１１１とを斜め相関検出回路１０４の検出結果Ｓ１０４に応じて切換えを行なう
減算器１２０は、１ライン遅延されたコンポジット映像信号Ｓ１０１から切換回路１１８の出力信号Ｓ１１８を減算する。
【００３１】
＜第１、第２の水平３点相関回路１１５、１１６の内部構成＞
図３は、図２に示した第１の水平３点相関回路１１５および第２の水平３点相関回路１１６の内部構成を示すブロック図である。第１、第２の水平３点相関回路１１５、１１６は、最小値回路２０１〜２０３、２０５と、最大値回路２０４とを含む。最小値回路２０１〜２０３は、色信号の半周期だけ遅延させた隣り合う３点の信号（Ｓ１１２，Ｓ１０７，Ｓ１１３）のうち２つ（Ｓ１０７，Ｓ１１３），（Ｓ１１３，Ｓ１１２），（Ｓ１１２，Ｓ１０７）がそれぞれ入力され、入力された信号の最小値を選択して出力する。最大値回路２０４は、最小値回路２０１〜２０３の出力信号Ｓ２０１〜Ｓ２０３から最大値を選択して出力する。最小値回路２０５は、最小値回路２０１〜２０３の出力信号Ｓ２０１〜Ｓ２０３から最小値を選択して出力する。
【００３２】
＜第１、第２の水平５点相関回路１１７、１１１の内部構成＞
図４は、図２に示した第１の水平５点相関回路１１７および第２の水平５点相関回路１１１の内部構成を示すブロック図である。第１、第２の水平５点相関回路１１７、１１１は、最小値回路３０１〜３０５、３０７と、最大値回路３０６とを含む。最小値回路３０１〜３０５は、色信号の半周期だけ遅延させた隣り合う５点の信号（Ｓ１０５，Ｓ１１２，Ｓ１０７，Ｓ１１３，Ｓ１０９）のうち３つ（Ｓ１０７，Ｓ１１３，Ｓ１０９），（Ｓ１１２，Ｓ１０７，Ｓ１１３），（Ｓ１０５，Ｓ１１２，Ｓ１０７），（Ｓ１０９，Ｓ１０５，Ｓ１１２），（Ｓ１１３，Ｓ１０９，Ｓ１０５）がそれぞれ入力され、入力された信号の最小値を選択して出力する。最大値回路３０６は、最小値回路３０１〜３０５の出力信号Ｓ３０１〜Ｓ３０５から最大値を選択して出力する。最小値回路３０７は、最小値回路３０１〜３０５の出力信号Ｓ３０１〜Ｓ３０５から最小値を選択して出力する。
【００３３】
＜斜め相関検出回路１０４の内部構成＞
図５は、図２に示した斜め相関検出回路１０４の内部構成を示すブロック図である。斜め相関検出回路１０４は、バンドパスフィルター５０１，５０２，５０３と、加算器５０４，５０５と、遅延回路５０６，５０７と、減算器５０８，５０９と、絶対値回路５１０，５１１と、比較回路５１２，５１３と、ＯＲ回路５１４とを含む。バンドパスフィルター５０１，５０２，５０３は、色副搬送波周波数の３．５８ＭＨｚをセンター周波数としてコンポジット映像信号Ｓ１００，Ｓ１０１，Ｓ１０２より帯域制限信号Ｓ５０１，Ｓ５０２，Ｓ５０３を抽出する。加算器５０４は、バンドパスフィルター５０１，５０２より出力される帯域制限信号Ｓ５０１とＳ５０２とを加算する。加算器５０５は、バンドパスフィルターより出力される帯域制限信号Ｓ５０２とＳ５０３とを加算する。遅延回路５０６，５０７は、色副搬送波周波数の４倍のクロック周波数で加算器５０４、５０５のそれぞれの信号を遅延させる。減算器５０８，５０９は、加算器５０４，５０５より出力される信号から遅延回路５０６，５０７より出力される信号を減算する。絶対値回路５１０，５１１は、減算回路５０８，５０９の出力値の絶対値をとる。比較回路５１２，５１３は、絶対値回路５１０，５１１で得られた値と基準値との比較を行う。ＯＲ回路５１４は、比較回路５１２，５１３のどちらか一方でも「判定あり」を判定すれば、「相関あり」を示す出力信号Ｓ１０４を出力する。
【００３４】
＜Ｙ／Ｃ分離装置３の動作＞
以上のように構成されたＹ／Ｃ分離装置３の動作について説明する。
【００３５】
まず、ラインメモリー１０１，１０２は、ＡＶスイッチ２よりコンポジット映像信号Ｓ１００を入力する。ラインメモリー１０１，１０２は、入力したコンポジット映像信号Ｓ１００を基に、１ライン遅延されたコンポジット映像信号Ｓ１０１とさらに１ライン遅延されたコンポジット映像信号Ｓ１０２とを得る。
【００３６】
次に、斜め相関検出回路１０４は、ラインメモリー１０１，１０２によって得られた３ライン間のコンポジット映像信号Ｓ１００，Ｓ１０１，Ｓ１０２を入力する。
【００３７】
次に、バンドパスフィルター５０１，５０２，５０３は、３．５８ＭＨｚをセンターとした通過周波数帯域を用いて、入力したコンポジット映像信号Ｓ１００，Ｓ１０１，Ｓ１０２からそれぞれ、３．５８ＭＨｚを中心に帯域制限された信号Ｓ５０１，Ｓ５０２，Ｓ５０３を得る。
【００３８】
次に、加算器５０４は、中央ラインの帯域制限信号Ｓ５０２と１ライン間差がある帯域制限信号Ｓ５０１とを加算する。ライン間で色の位相は１８０度反転するので、加算器５０４は、中央ラインの帯域制限信号Ｓ５０２と１ライン間差がある帯域制限信号Ｓ５０１とを加算器５０４で加算することにより、色信号成分は打ち消し合い、帯域制限された輝度成分信号Ｓ５０４を得る。同様に、加算器５０５は、中央ラインの帯域制限信号Ｓ５０２と１ライン間差がある帯域制限信号Ｓ５０３と加算することにより、色信号成分は打ち消し合い、帯域制限された輝度成分信号Ｓ５０５を得る。
【００３９】
次に、遅延回路５０６，５０７は、加算器５０４，５０５で得られた輝度成分信号Ｓ５０４，Ｓ５０５をそれぞれクロック単位で遅延させることにより、遅延された輝度成分信号Ｓ５０６，Ｓ５０７を得る。
【００４０】
次に、減算器５０８は、帯域制限された輝度成分信号Ｓ５０４と遅延回路５０６で遅延された輝度信号成分信号Ｓ５０７との差分を求めることによって、斜め方向にずらしたサンプルポイントの差から輝度信号成分の斜め方向の相関値Ｓ５０８を得る。
【００４１】
次に、絶対値回路５１０は、減算器５０８で得られた相関値Ｓ５０８の絶対値と求めることによって、斜め方向の差分値Ｓ５１０を得る。
【００４２】
次に、比較回路５１２は、絶対値回路５１０で得られた斜め方向の差分値Ｓ５１０と斜め成分判定レベルＳ５００とを比較する。比較の結果、斜め方向の差分が小さく斜め成分判定レベルＳ５００より小さい時は、斜め方向の相関があると判定され、比較回路５１２は「相関あり」を示す信号Ｓ５１２をＯＲ回路５１４に出力する。一方、比較の結果、斜め方向の差分が大きく斜め成分判定レベルＳ５００より大きい時は、斜め方向の相関が無いと判定され、比較回路５１２は「相関なし」を示す信号Ｓ５１２をＯＲ回路５１４に出力する。
【００４３】
また、上記斜め成分とは逆向きの成分を検出するために、減算器５０９は、減算器５０８と同様に、帯域制限された輝度成分信号Ｓ５０５と遅延回路５０６で遅延された輝度信号成分信号Ｓ５０６との差分を求めることによって、斜め方向にずらしたサンプルポイントの差から輝度信号成分の斜め方向の相関値Ｓ５０９を得る。
【００４４】
次に、絶対値回路５１１は、絶対値回路５１０と同様に、減算器５０９で得られた相関値Ｓ５０９の絶対値と求めることによって、斜め方向の差分値Ｓ５１１を得る。
【００４５】
次に、比較回路５１３は、比較回路５１２と同様に、絶対値回路５１１で得られた斜め方向の差分値Ｓ５１１と斜め成分判定レベルＳ５００とを比較する。比較の結果、斜め方向の差分が小さく斜め成分判定レベルＳ５００より小さい時は、斜め方向の相関があると判定され、比較回路５１３は「相関あり」を示す信号Ｓ５１３をＯＲ回路５１４に出力する。一方、比較の結果、斜め方向の差分が大きく斜め成分判定レベルＳ５００より大きい時は、斜め方向の相関が無いと判定され、比較回路５１３は「相関なし」を示す信号Ｓ５１３をＯＲ回路５１４に出力する。
【００４６】
次に、ＯＲ回路５１４は、比較回路５１２からの出力信号Ｓ５１２および比較回路５１３からの出力信号Ｓ５１３のうち少なくとも１つが「相関あり」を示すとき「相関あり」を示す出力信号Ｓ１０４を切替回路１１８，１１９に出力する。また、ＯＲ回路５１４は、出力信号Ｓ５１２および出力信号Ｓ５１３のうちどちらも「相関なし」を示すとき「相関なし」を示す出力信号Ｓ１０４を切替回路１１８，１１９に出力する。
【００４７】
一方、ライン相関色分離回路１０３は、３．５８ＭＨｚをセンターとした通過周波数帯域のバンドパスフィルターを用いて入力した３ライン間のコンポジット映像信号Ｓ１００，Ｓ１０１，Ｓ１０２を制限し、さらに、３ライン間の色信号の相関を判定するために多数決もしくは中間値をとることにより、３ライン相関色信号Ｓ１０３を得る。
【００４８】
次に、ライン相関色分離回路１０３の後段に直列に接続された遅延回路１０５〜１０９は、各々色信号の半周期づつ信号を遅延させる。
【００４９】
また、反転回路１１２，１１３は、遅延信号Ｓ１０６，Ｓ１０８を反転させることによって、反転遅延信号Ｓ１１２，Ｓ１１３を得る。
【００５０】
次に、第１の水平３点相関回路１１５は、遅延回路１０７で遅延された遅延信号Ｓ１０７と反転回路１１２，１１３で反転された反転遅延信号Ｓ１１２，Ｓ１１３を入力し、入力した３つの信号の大きさから中間値Ｓ１１５を出力する。
【００５１】
また、第２の水平３点相関回路１１６は、遅延回路１０７で遅延された遅延信号Ｓ１０７と反転回路１１２，１１３で反転された反転遅延信号Ｓ１１２，Ｓ１１３を入力し、入力した３つの信号の大きさから最小値もしくは第１の水平相関回路１１５の出力Ｓ１１５より小さい値Ｓ１１６を出力する。
【００５２】
次に、第１の水平５点相関回路１１７は、遅延回路１０５，１０７，１０９で遅延された遅延信号Ｓ１０５，Ｓ１０７，Ｓ１０９と反転回路１１２，１１３で反転された反転遅延信号Ｓ１１２，Ｓ１１３を入力し、入力した５つの信号の大きさから中間値Ｓ１１７を出力する。
【００５３】
また、第２の水平５点相関回路１１１は、遅延回路１０５，１０７，１０９で遅延された遅延信号Ｓ１０５，Ｓ１０７，Ｓ１０９と反転回路１１２，１１３で反転された反転遅延信号Ｓ１１２，Ｓ１１３を入力し、入力した５つの信号の大きさから最小値もしくは第１の水平５点相関回路１１７の出力Ｓ１１７より小さい値Ｓ１１１を出力する。
【００５４】
次に、切換回路１１８は、斜め相関検出回路１０４より「斜め相関あり」の信号が入力された場合はＳ１１６を輝度分離用色信号Ｓ１１８として出力し、斜め相関検出回路１０４より「斜め相関なし」の信号が入力された場合はＳ１１５を輝度分離用色信号Ｓ１１８として出力する。
【００５５】
次に、減算器１２０は、中央ラインのコンポジット映像信号Ｓ１０１から輝度分離用色信号Ｓ１１８を減算することにより、輝度信号Ｓ１２０を分離して、その輝度信号Ｓ１２０をＲＧＢ変換回路５に出力する。
【００５６】
また、切換回路１１９は、斜め相関検出回路１０４より「斜め相関あり」の信号が入力された場合はＳ１１１を色信号Ｓ１１９として色復調回路に出力し、斜め相関検出回路１０４より「斜め相関なし」の信号が入力された場合はＳ１１７を色信号Ｓ１１９として色復調回路４に出力する。
【００５７】
図７は、１周期の周波数成分を持った斜め線が入力された場合のＳ１０３〜Ｓ１２０の波形図である。
【００５８】
従来のＹ／Ｃ分離装置では、色信号の１周期の信号がライン相関色信号Ｓ１０３に入力された場合、輝度分離用色信号Ｓ１１８からは色信号の１周期の信号がそのまま出力されていた（図６参照）が、この実施形態によるＹ／Ｃ分離装置３では、１周期分の信号を除去することができる。
【００５９】
また、図９は、１周期半の周波数成分を持った斜め線が入力された場合のＳ１０３〜Ｓ１２０の波形図である。
【００６０】
従来のＹ／Ｃ分離装置では、色信号の１．５周期の信号がライン相関色信号Ｓ１０３に入力された場合、色信号Ｓ１１９からは色信号の１．５周期の信号がそのまま出力されていた（図８参照）が、この実施形態によるＹ／Ｃ分離装置３では、１．５周期分の信号を除去することができる。
【００６１】
＜効果＞
この実施形態によれば、斜め相関検出回路１０４は、入力されたコンポジット映像信号の３ライン間の映像信号より輝度信号成分の斜め方向の相関を検出する。切り換え回路１１８，１１９は、この検出結果に応じて水平方向の相関検出範囲を切り換える。例えば、従来の技術では、３ライン色分離回路に入力する信号Ｓ１００，Ｓ１０１，Ｓ１０２において斜めじまのような斜め方向の輝度信号成分がライン相関色分離回路１０３に入力されると、ライン相関色分離回路１０３において正しく分離されず、ライン相関出力色信号Ｓ１０３に漏れ出す可能性があった。しかし、本実施形態によるＹ／Ｃ分離装置３は、このような斜め線が入力された場合には水平方向の相関範囲内の最小値をとる。このことにより、出力される色信号Ｓ１１９においてクロスカラーを低減するとともに、出力される輝度信号Ｓ１２０においても斜め方向の解像度の改善を図ることができる。また、斜め線が入力されていない場合は、水平方向の相関範囲内の中間値をとることにより通常の色信号が正しく出力され、水平方向の相関範囲内の最小値を取り続けたために起こる色抜けや色の飽和度低下を抑制することができる。
【００６２】
なお、ここでは斜め相関検出回路１０４の検出結果に応じて、第１の水平３点相関回路１１５と第２の水平３点相関回路１１６との切り換え及び第１の水平５点相関回路１１７と第２の水平５点相関回路１１１との切り換えを用いて説明したが、斜め相関がある時の水平相関値の大きさが、第１の水平３点相関回路＞第２の水平３点相関回路、第１の水平５点相関回路＞第２の水平５点相関回路とする関係を保ち、水平相関範囲を３点、５点以上に増やしても構わない。水平方向の点数を多くとることにより、クロスカラーが除去できる周期が増えることはいうまでもない。
【００６３】
なお、本実施形態ではテレビジョン受信機と記載したが、液晶テレビ，プラズマディスプレイテレビ，有機ＥＬテレビ，ビデオキャプチャーボード機器，パソコン機器，ビデオカセットレコーダなどでもかまわない。
【産業上の利用可能性】
【００６４】
この発明の映像信号処理装置は、映像信号を出力するテレビジョン受像機，液晶テレビ，プラズマディスプレイテレビ，有機ＥＬテレビ，ビデオキャプチャーボード機器，パソコン機器，ビデオカセットレコーダなどにおいて、斜め線を含む映像信号が入力されたときに生じるクロスカラーを低減すること、または斜め線を含まない映像信号が入力されたときに生じる色抜けや色の飽和度低下を抑制することに適している。
【図面の簡単な説明】
【００６５】
【図１】この発明の実施形態によるテレビジョン受信機の全体構成を示すブロック図である。
【図２】この発明の実施形態によるＹ／Ｃ分離装置の内部構成を示すブロック図である。
【図３】水平３点相関回路の内部構成を示すブロック図である。
【図４】水平５点相関回路の内部構成を示すブロック図である。
【図５】斜め相関検出回路の内部構成を示すブロック図である。
【図６】従来のＹ／Ｃ分離装置に１波長の斜め信号が入力された場合の各部の出力波形を示す図である。
【図７】図２に示したＹ／Ｃ分離装置に１波長の斜め信号が入力された場合の各部の出力波形を示す図である。
【図８】従来のＹ／Ｃ分離装置に１．５波長の斜め信号が入力された場合の各部の出力波形を示す図である。
【図９】図２に示したＹ／Ｃ分離装置に１．５波長の斜め信号が入力された場合の各部の出力波形を示す図である。
【図１０】従来のＹ／Ｃ分離装置の構成を示すブロック図である。
【図１】
2005348223.tif 000003
【図２】
2005348223.tif 000004
【図３】
2005348223.tif 000005
【図４】
2005348223.tif 000006
【図５】
2005348223.tif 000007
【図６】
2005348223.tif 000008
【図７】
2005348223.tif 000009
【図８】
2005348223.tif 000010
【図９】
2005348223.tif 000011
【図１０】
2005348223.tif 000012